(57)【特許請求の範囲】
【請求項１】
回転形支持アームの先端に記録ヘッドと再生ヘッドとを具備するスライダを有し、前記スライダの両ヘッドにより、磁気ディスクに情報の記録再生を行う磁気ディスク装置において、
前記再生ヘッドにより得られる磁気ディスクのトラック上での信号値にもとづいて、前記記録ヘッドと前記再生ヘッドとのヘッド間のディスク回転方向における距離であってヨー角に応じたスライダ毎の位置ずれ量を算出し、前記スライダ毎の位置ずれ量により、記録ヘッドによる記録媒体への情報の記録開始位置を補正する補正回路を備えたことを特徴とする磁気ディスク装置。
【請求項２】
請求項１に記載の磁気ディスク装置において、算出された前記スライダ毎の位置ずれ量に基づいて、データ部書き込み信号のタイミング制御をすることを特徴とする磁気ディスク装置。
【請求項３】
回転形支持アームの先端に記録ヘッドと再生ヘッドとを具備するスライダを有し、前記スライダの両ヘッドにより、磁気ディスクに情報の記録再生を行う磁気ディスク装置において、
前記再生ヘッドにより得られる磁気ディスクのトラック上での信号値にもとづいて、前記記録ヘッドと前記再生ヘッドとのヘッド間のディスク回転方向における距離であってヨー角に応じたスライダ毎の位置ずれ量を算出する算出部と、
前記スライダ毎の位置ずれ量を記憶するメモリ部と、
前記メモリ部から読み出した前記スライダ毎の位置ずれ量に基づいて、記録ヘッドによる記録媒体への情報の記録開始位置を補正する補正回路と、
を備えたことを特徴とする磁気ディスク装置。
【請求項４】
請求項３に記載の磁気ディスク装置において、前記メモリから読み出した前記スライダ毎の位置ずれ量に基づいて、データ部書き込み信号のタイミング制御をすることを特徴とする磁気ディスク装置。
【発明の詳細な説明】
【０００１】
【発明の属する技術分野】
本発明は情報の記録再生を行う磁気ディスク装置に係り、さらに詳しくは磁気ディスク装置の記録再生に関するものである。
【０００２】
【従来の技術】
前述したように、支持アームに記録ヘッドと再生ヘッドとを並設した磁気ディスク装置において、これらの配置によって生じるヘッドトラック幅方向位置ずれ、すなわち支持アームにおける磁気ディスクの半径方向の移動に伴うヘッドの位置ずれを補償する方策として、特開平６−２８８００号公報及び特開平４−２３２６１０号公報に記載されたものがある。
【０００３】
また、従来技術としては、ヘッド位置ずれによる記録再生時、そのバラツキを吸収するエリア（ＧＡＰ）を記録媒体上に有していた。
【０００４】
【発明が解決しようとする課題】
上記の従来技術においては、記録ヘッドと再生ヘッドと並設した時に生じるヘッドトラック幅方向の位置ずれ、すなわち支持アームにおける磁気ディスクの半径方向の移動に伴うヘッドの位置ずれを補償するのみであり、並設した時に生じる記録ヘッドと再生ヘッドとの記録／再生の時間による記録情報への影響を考慮されていない。（位置ずれによるノイズや読み出しエラー等のみである。）
本発明の目的は、ヘッド取付誤差によって生じる磁気ディスクへの情報の記録／再生の時間差を補正することによりフォーマット効率を向上し、高密度記録ひいては、大容量記録が可能な磁気ディスク装置を提供することにある。
【０００５】
【課題を解決するための手段】
本発明の上記目的は。回転形支持アームの先端に別個に配置された記録ヘッドと再生ヘッドにより、磁気ディスクに情報の記録／再生を行う磁気ディスク装置において、前記再生ヘッドによる得られる磁気ディスクのトラック上での信号値にもとづいて、記録ヘッドと再生ヘッドとの記録／再生時に生じる時間差を補正する補正回路を備えることにより達成される。
【０００６】
補正回路は、支持アームの先端に設けた記録ヘッドと再生ヘッドとにより得られる磁気ディスクのトラック上での信号値にもとづいて、記録ヘッドと再生ヘッドとの記録／再生時に生じる時間差を補正する。
【０００７】
この補正値によりヘッドの製造上の配置に起因する記録ヘッドと再生ヘッドの記録／再生時に生じる時間差を補償することができる。
【０００８】
【発明の実施の形態】
以下、本発明の実施例を図面を用いて説明する。
【０００９】
図１は本発明の一実施例を示すものであり、この図において、１は磁気ディスク装置であり、この磁気ディスク装置１は、ベース２と、このベース２に回転可能に設けたスピンドル３と、このスピンドル３に装設した磁気ディスク４と、ベース２に設けた軸５と、この軸５に回転可能に設けた支持アーム６と、この支持アーム６の一方側のベース２に設けた支持アーム６の駆動部７と、支持アーム６の他方端に設けたスライダ８と、このスライダ８に設けた記録ヘッドと再生ヘッド（図示せず）とを備えている。
【００１０】
前述した記録ヘッド９と再生ヘッド１０は、図２に示すようにスライダ８に搭載されている。この図２において、記録ヘッド９または再生ヘッド１０のトラックＴの幅の中心線１１とトラックＴの接線１２のなす角θがヨー角である。
【００１１】
次に、図１に戻り、１３はコントロールシステムで、このコントロールシステム１３には、記録回路１４、再生回路１５、補正回路１６、メモリ１７が接続している。記録回路１４は記録ヘッド９に記録信号を送るように接続している。再生回路１５は、再生ヘッド１０で読み取られた信号が供給される。これら記録回路１４、再生回路１５、補正回路１６、メモリ１７は、コントロールシステム１３により制御される。
【００１２】
次に本発明の一実施例を図３、図４により説明する。
【００１３】
図３に示すように記録ヘッド９と再生ヘッド１０のディスク回転方向での位置ずれ量はＫである。図４は一実施例でのデータフォーマットの例で、ＩＤ部２１はこのトラックＴの位置情報でデータ部２３は、記録ヘッド９、再生ヘッド１０により、記録／再生されるエリアである。データを記録ヘッド９により記録する場合、コントロールシステム１３〜再生回路１５によりＩＤ再生信号１８により再生ヘッド１０からＩＤ部２１の位置情報を読み取り、読み取り結果よりコントロールシステム１３〜記録回路１４によりデータ部書き込み信号１９により記録ヘッド９にて書き込みが行われる。この際これらの回路の時間おくれやディスク４の回転変動が生じるため、それを吸収するエリアとしてＧＡＰ２２を設けてある。またこの時、記録の書き継ぎによるスプライス２３が発生する。このスプライス２３の位置は、ディスク回転方向での位置ずれ量Ｋと上記回路の時間おくれや回転変動による時間差αにより、スプライスは２４〜２３の位置に発生する。これらスプライス２３〜スプライス２４の位置を再生回路１５から補正回路１６で測定し、メモリ１７に設定する。
【００１４】
この設定をもとに、磁気ディスク４にデータを記録する時、データ部書き込み信号１９をスプライス２４の位置からスプライス２３の位置の間におけるいずれかに補正回路１６により補正することで、記録ヘッド９と再生ヘッド１０の配置に起因する記録／再生時に生じる時間差を補償することができる。これにより、ディスク回転方向での位置ずれＫのヘッド製造時のバラツキ分をキャンセルすることができるのでＧＡＰ部２２が削減できフォーマット効率を向上することができる。
【００１５】
【発明の効果】
本発明によれば、並設された記録ヘッドと再生ヘッドの配置に起因する記録／再生時の時間差を補償することで、ヘッド製造時の配置のバラツキを吸収することができ、フォーマット効率が向上する。
【図面の簡単な説明】
【図１】本発明の一実施例の構成を示す平面図である。
【図２】図１に示す本発明の一実施例における支持アーム部分を拡大して示す平面図である。
【図３】図１に示す本発明の一実施例における記録再生分離型ヘッドにヨー角θがついたときの記録ヘッドと再生ヘッド間の中心ずれＫを示す説明図である。
【図４】図１に示す本発明の一実施例における記録再生分離型ヘッドの一動作説明図である。
【符号の説明】
１…磁気ディスク装置、        ２…ベース、      ４…記録ディスク、
６…支持アーム、              ７…駆動部、      ８…スライダ、
９…記録ヘッド、            １０…再生ヘッド、
１３…コントロールシステム、  １４…記録回路、  １５…再生回路、
１６…補正回路、              １７…メモリ。
【図１】
0003890090.tif 000002
【図２】
0003890090.tif 000003
【図３】
0003890090.tif 000004
【図４】
0003890090.tif 000005